(57)【特許請求の範囲】
【請求項１】
放送システムにおけるコンテンツ提供方法であって、
セットトップボックスにて、移動端末からのユーザー情報に含まれたユーザーのスケジュールを含む個人情報管理システム（ＰＩＭＳ）情報を含む同期化の要求を受信するステップと、
前記セットトップボックスにて、前記受信されたユーザーのスケジュールに存在するリストに基づいて第１の推薦コンテンツリストを生成して前記第１の推薦コンテンツリストを前記移動端末に転送するステップと、
前記セットトップボックスにて、前記第１の推薦コンテンツリストを用いて前記移動端末が更新した個人情報管理システム（ＰＩＭＳ）情報から前記移動端末が選択し送信したコンテンツリストを受信するステップと、
前記セットトップボックスにて、サービス提供装置に、前記選択されたコンテンツリストに含まれたコンテンツに対する要請を転送するステップと、
前記セットトップボックスにて、前記サービス提供装置から前記要請されたコンテンツを受信するステップと、
前記セットトップボックスにて、前記受信されたコンテンツを前記移動端末に提供するステップと、
前記移動端末にて、前記ユーザーが前記提供されたコンテンツの視聴を許可した場合、前記ユーザーに前記コンテンツを提供するステップとを有することを特徴とする放送システムにおけるコンテンツ提供方法。
【請求項２】
前記ユーザー情報は、ユーザーの趣向及び視聴パターンを更に含むことを特徴とする請求項１に記載の放送システムにおけるコンテンツ提供方法。
【請求項３】
前記セットトップボックスにて、前記受信されたコンテンツを前記移動端末に提供するステップの後に、前記移動端末が更に同期化を遂行する場合、ユーザーのログ情報を受信して、前記ログ情報に基づいて前記ユーザー情報を更新するステップを更に有することを特徴とする請求項２に記載の放送システムにおけるコンテンツ提供方法。
【請求項４】
所定の時間の間に前記移動端末から同期化に対する要求の受信に失敗した場合、前記セットトップボックスにて、最後に収集されたユーザーのスケジュールを用いて第２の推薦コンテンツリストを生成するステップと、
前記サービス提供装置に前記第２の推薦コンテンツリストを転送するステップとを更に有することを特徴とする請求項１に記載の放送システムにおけるコンテンツ提供方法。
【請求項５】
放送システムにおけるコンテンツ提供方法であって、
移動端末によって、セットトップボックスに、ユーザー情報に含まれたユーザーのスケジュールを含む個人管理システム（ＰＩＭＳ）情報を含む同期化の要求を送信するステップと、
前記移動端末によって、前記セットトップボックスから前記ユーザーのスケジュールに存在するリストに基づいて生成された第１の推薦コンテンツリストを受信し、前記第１の推薦コンテンツリストに基づいて個人情報管理システム（ＰＩＭＳ）情報を更新するステップと、
前記移動端末によって、前記セットトップボックスに、前記更新されたＰＩＭＳ情報から選択されたコンテンツリストを転送するステップと、
前記移動端末によって、前記セットトップボックスから前記コンテンツリストに含まれたコンテンツを受信するステップと、
前記移動端末によって、前記ユーザーに対し視聴確認メッセージを提供するステップと、
前記移動端末にて、前記ユーザーが前記受信したコンテンツを視聴しようとするか否かの情報を受信するステップと、
前記移動端末によって、前記ユーザーが前記受信したコンテンツの視聴を許可した場合、前記ユーザーに前記コンテンツを提供するステップとを有することを特徴とする放送システムにおけるコンテンツ提供方法。
【請求項６】
前記ユーザー情報は、ユーザーの趣向及び視聴パターンを更に含むことを特徴とする請求項５に記載の放送システムにおけるコンテンツ提供方法。
【請求項７】
前記移動端末による、前記更新されたＰＩＭＳ情報からコンテンツが選択されない場合、前記更新されたＰＩＭＳ情報に含まれた全てのコンテンツリストを前記セットトップボックスに転送するステップを更に有することを特徴とする請求項５に記載の放送システムにおけるコンテンツ提供方法。
【請求項８】
前記移動端末によって、所定の時間の間、前記ユーザーからの前記同期化の要求の受信に失敗した場合、前記移動端末は、前記サービス提供装置から最後に収集されたユーザーのスケジュールを用いて生成された第２の推薦コンテンツリストを受信するステップを更に有することを特徴とする請求項５に記載の放送システムにおけるコンテンツ提供方法。
【請求項９】
放送システムにおけるコンテンツ提供装置であって、
前記コンテンツ提供装置は、
移動端末からユーザー情報に含まれたユーザーのスケジュールを含む個人管理システム（ＰＩＭＳ）情報を含む同期化に対する要求を受信し、前記受信されたユーザーのスケジュールに存在するリストに基づいて第１の推薦コンテンツリストを生成して前記第１の推薦コンテンツリストを前記移動端末に転送し、前記第１の推薦コンテンツリストを用いて前記移動端末が更新した個人情報管理システム（ＰＩＭＳ）情報から前記移動端末が選択し送信したコンテンツリストを受信し、前記選択されたコンテンツリストに含まれたコンテンツに対する要請をサービス提供装置に転送し、前記サービス提供装置から前記要請されたコンテンツを受信し、前記受信されたコンテンツを前記移動端末に提供するセットトップボックスを含むことを特徴とする放送システムにおけるコンテンツ提供装置。
【請求項１０】
前記ユーザー情報は、ユーザーの趣向及び視聴パターンを更に含むことを特徴とする請求項９に記載の放送システムにおけるコンテンツ提供装置。
【請求項１１】
前記セットトップボックスは、前記サービス提供装置から送信された前記コンテンツを前記移動端末に転送し、前記移動端末が更に同期化を遂行する場合、ユーザーのログ情報を受信して、前記ログ情報によって前記ユーザー情報を更新することを特徴とする請求項１０に記載の放送システムにおけるコンテンツ提供装置。
【請求項１２】
前記セットトップボックスは、所定の時間の間に前記移動端末から同期化に対する要求の受信に失敗した場合、最後に収集されたユーザーのスケジュールを用いて第２の推薦コンテンツリストを生成し、前記サービス提供装置に前記第２の推薦コンテンツリストを転送することを特徴とする請求項９に記載の放送システムにおけるコンテンツ提供装置。
【請求項１３】
放送システムにおける移動端末であって、
ユーザー情報に含まれたユーザーのスケジュールを含む個人管理システム（ＰＩＭＳ）情報を含む同期化の要求を同期化処理部からセットトップボックスに送信した後に、前記同期化処理部にて前記セットトップボックスから受信、転送された前記ユーザーのスケジュールに存在するリストに基づいて生成された第１の推薦コンテンツリストに基づいて個人情報管理システム（ＰＩＭＳ）情報を更新するＰＩＭＳ情報管理部と、
コンテンツ視聴のためにアプリケーションを駆動するアプリケーション駆動部と、
前記セットトップボックスから前記第１の推薦コンテンツリストを受信して前記ＰＩＭＳ情報管理部に転送し、前記更新されたＰＩＭＳ情報から選択されたコンテンツリストを前記セットトップボックスに転送し、前記ユーザーが視聴したコンテンツの視聴情報を前記セットトップボックスに転送する前記同期化処理部と、を有することを特徴とする放送システムにおける移動端末。
【請求項１４】
前記ユーザー情報は、ユーザーの趣向及び視聴パターンを更に含むことを特徴とする請求項１３に記載の放送システムにおける移動端末。
【請求項１５】
前記同期化処理部は、前記更新されたＰＩＭＳ情報からコンテンツが選択されない場合、前記更新されたＰＩＭＳ情報に含まれた全てのコンテンツリストを前記セットトップボックスに転送することを特徴とする請求項１３に記載の放送システムにおける移動端末。
【請求項１６】
前記同期化処理部は、所定の時間の間、前記ユーザーから前記同期化の要求の受信に失敗した場合、前記サービス提供装置から最後に収集されたユーザーのスケジュールを用いて生成された第２の推薦コンテンツリストを受信することを特徴とする請求項１３に記載の放送システムにおける移動端末。
【発明の詳細な説明】
【技術分野】
【０００１】
本発明は、放送システムにおける放送コンテンツ提供装置及び方法に関し、より詳細には、インターネットプロトコルテレビジョン（ＩＰＴＶ）サービスをサポートする放送システムにおけるコンテンツ提供方法及びその装置並びに移動端末に関する。
【背景技術】
【０００２】
インターネットプロトコル（ＩＰ）ベースの融合（ｃｏｎｖｅｒｇｅｎｃｅ）時代において、通信と放送の融合は、市場性が高い新規ビジネスモデルであって、次世代市場先導技術として注目されている。特に、放送−通信融合の主軸であるＩＰＴＶ技術は、既存のＴＶ、音声、及びデータ技術を一つに再混合又は結合して考案されたサービスを提供するだけでなく、これらのサービスの双方向性をサポートしてより多様なビジネスモデルとサービスの生成が可能な技術である。特に、サービス可能な端末タイプが制限された既存の環境で特化したサービスを提供する従来技術とは異なり、ＩＰＴＶ技術は、固定型端末（例えば、セットトップボックス、パーソナルコンピュータ、ＴＶなど）、移動端末（例えば、携帯電話、ＰＤＡ（Ｐｅｒｓｏｎａｌ  Ｄｉｇｉｔａｌ  Ａｓｓｉｔａｎｔ）など）、及び有線／無線ネットワークの全てのタイプにサービスを提供することによって、同一のサービスを多様な環境で提供及び適用し、多様な環境を考慮して様々な新しいサービスに発展することを可能にする。
【０００３】
図１は、ＩＰＴＶに関連した全体ドメインと価値連鎖を示す。
【０００４】
図１を参照すると、ＩＰＴＶに関連した全体ドメインは、ユーザー１００にＩＰＴＶサービスを提供するために、消費者ドメイン（ｃｏｎｓｕｍｅｒ  ｄｏｍａｉｎ）１０１、ネットワーク提供者ドメイン１０２、プラットフォーム提供者ドメイン１０３、ＩＰＴＶサービス提供者ドメイン１０４、及びコンテンツ提供者ドメイン１０５を含む。
【０００５】
ＩＰＴＶサービスを消費するドメインである消費者ドメイン１０１は、サービスを受信及び消費するための少なくとも一つの端末及び様々な端末で構成されるネットワーク（例えば、ホームネットワーク）で構成され得る。端末は、セットトップボックスだけでなく携帯電話やＰＤＡを含む無線環境をサポートする携帯型端末も含むことができる。
【０００６】
ネットワーク提供者ドメイン１０２は、ユーザー１００をプラットフォーム又はサービス提供者に接続させ、多様なタイプのサービス及びコンテンツを転送する。ネットワーク提供者ドメイン１０２の伝送システムは、有線／無線及び放送伝送技術をサポートでき、一般的にアクセスネットワーク及びコア又はバックボーン（ｂａｃｋｂｏｎｅ）ネットワークで構成される。
【０００７】
ＩＰＴＶサービス提供者に共通にサービスを提供するドメインであるプラットフォーム提供者ドメイン１０３は、ＩＰＴＶサービス提供者にユーザー認証、課金、又は他の類似したサービスを提供する。
【０００８】
消費者ドメイン１０１にＩＰＴＶサービスを提供するドメインであるＩＰＴＶサービス提供者ドメイン１０４は、コンテンツ提供者から提供されるコンテンツを受信し、サービス内にコンテンツをパッケージングする。
【０００９】
コンテンツ提供者ドメイン１０５は、コンテンツ又はコンテンツ資産を所有し、それに対する著作権を有するドメインである。スケジュールされたコンテンツサービス及びコンテンツオンデマンド（ｃｏｎｔｅｎｔ−ｏｎ−ｄｅｍａｎｄ）サービスだけでなく多様なＩＰＴＶサービスは、上記５つのドメイン１０１〜１０５で提供され、後述する４個のユニット１０６〜１０９が集まってこのようなサービスを提供するように一つの価値連鎖（ｖａｌｕｅ  ｃｈａｉｎ）を構成する。
【００１０】
先ず、コンテンツ制作部（ｃｏｎｔｅｎｔ  ｐｒｏｄｕｃｔｉｏｎ  ｕｎｉｔ）１０９は、コンテンツ提供者ドメイン１０５に位置しており、コンテンツを制作及び編集する。ＩＰＴＶサービス提供者ドメイン１０４に位置するコンテンツアグリゲーション部（ｃｏｎｔｅｎｔ  ａｇｇｒｅｇａｔｉｏｎ  ｕｎｉｔ）１０８は、多様なコンテンツ提供者から提供されたコンテンツを受信して多様なサービスに集合（アグリゲーション）する。プラットフォーム提供者ドメイン１０３及びネットワーク提供者ドメイン１０２の両方をアクセスするコンテンツ転送部（ｃｏｎｔｅｎｔ  ｄｅｌｉｖｅｒｙ  ｕｎｉｔ）１０７は、ＩＰＴＶサービス提供者から提供されるアグリゲーションされたサービスを消費者ドメイン１０１に転送する。更に、消費者ドメイン１０１に位置するコンテンツ再構成部１０６は、提供されたコンテンツをユーザーが視聴可能なフォーマットに変換する。
【００１１】
ＩＰＴＶサービスは、各々のＱｏＳ（Ｑｕａｌｉｔｙ  ｏｆ  Ｓｅｒｖｉｃｅ）のプロビジョニングによって管理モデル（ｍａｎａｇｅｄ  ｍｏｄｅｌ）及び非管理モデル（Ｏｐｅｎ  Ｉｎｔｅｒｎｅｔ）に分類することができる。管理モデルにおいて、サービス提供者は、プラットフォーム提供者ドメイン１０３、ネットワーク提供者ドメイン１０２、及びＩＰＴＶサービス提供者ドメイン１０４を融合方式で運営する。非管理モデルにおいては、サービス提供者とネットワーク提供者が分離されるため、サービス提供者はＩＰＴＶサービス提供者ドメイン１０４を管理し、他のネットワーク提供者（即ち、ネットワーク提供者ドメイン１０２及びプラットフォーム提供者ドメイン１０３）はコンテンツ転送を管理する。
【００１２】
図２は、従来のコンテンツ提供方法を示すフロー図である。
【００１３】
サービス提供者２０１の役割は、管理モデルと非管理モデルについて区分して説明できる。しかし、便宜上、非管理モデルは図示しない。コンテンツ提供者２００は、ステップ２０４でコンテンツ及びコンテンツに対する詳細情報（以下、“コンテンツ情報”と称する）を生成し、ステップ２０５で、生成されたコンテンツ及びコンテンツ情報をサービス提供者２０１に転送する。
【００１４】
コンテンツ及びコンテンツ情報を受信すると、サービス提供者２０１は、ステップ２０６で、転送されたコンテンツ及びコンテンツ情報に基づいてＥＰＧ（Ｅｌｅｃｔｒｏｎｉｃ  Ｐｒｏｇｒａｍ  Ｇｕｉｄｅ）を生成する。ＥＰＧは、サービス提供者２０１によって提供されるサービス及びコンテンツに対する詳細な情報、購買方法、及び接続方法などを提供する。
【００１５】
ステップ２０７で、サービス提供者２０１は、セットトップボックス２０２にＥＰＧを転送する。セットトップボックス２０２は、ステップ２０８で、転送されたＥＰＧを受信して処理し、ＴＶ（又はディスプレイ）２０３にその処理情報を提供する。その後、ＴＶ２０３は、受信した処理情報によってＥＰＧを表示する。
【００１６】
ユーザー１００は、ステップ２０９で、ＴＶ２０３に表示されるＥＰＧを用いて所望するコンテンツを選択し、ＴＶ２０３は、ステップ２１０で、選択されたコンテンツに対する受信要求メッセージを、セットトップボックスを通じてサービス提供者２０１に送信する。
【００１７】
ステップ２１１で、選択されたコンテンツは、ユーザー１００に転送される。ここで、コンテンツは、サービス提供者のポリシーによって多様な方式で提供することができる。例えば、サービス提供者２０１は、格納されているコンテンツを転送し、或いはサービス提供者のサービスポリシーによってコンテンツ提供者２００から受信したコンテンツを転送することができる。伝送モード及びコンテンツタイプは、例えば、ストリーミング／ダウンローディング（ｓｔｒｅａｍｉｎｇ／ｄｏｗｎｌｏａｄｉｎｇ）モード及びリアルタイム／ノンリアルタイム（ｒｅａｌ−ｔｉｍｅ／ｎｏｎ−ｒｅａｌ−ｔｉｍｅ）タイプに分類することができる。この受信したコンテンツは、ステップ２１２でＴＶ２０３に表示される。
【００１８】
ユーザーは、多くのサービスタイプがＩＰＴＶを用いて提供可能であるため、所望のチャンネルを選択するのに難しさを有する。また、ユーザーが外出時にＩＰＴＶコンテンツを見ようとする場合に、ユーザーは、スケジュールを確認して視聴可能な時間の間に所望するコンテンツを予め移動端末に直接に格納しなければならないという不便さがある。従って、ユーザーの介入なしに、ユーザーの趣向、視聴パターン、及びスケジュール（以下、“ユーザー情報”と称する）に従ってコンテンツをユーザーに提供する方法及び装置が要求される。
【発明の概要】
【発明が解決しようとする課題】
【００１９】
本発明は、上記従来の問題点に鑑みてなされたものであって、本発明の目的は、ＩＰＴＶシステムにおいてユーザー情報を用いてユーザーがＩＰＴＶを視聴可能な時刻に推薦コンテンツをユーザーの移動端末に転送することによって、ユーザーが屋外環境でも別途の手順なしにＩＰＴＶコンテンツを視聴できるサービスを提供する放送システムにおけるコンテンツ提供方法及びその装置並びに移動端末を提供することにある。
【課題を解決するための手段】
【００２０】
上記目的を達成するための本発明の一態様によれば、放送システムにおけるコンテンツ提供方法であって、セットトップボックスにて、移動端末からのユーザー情報に含まれたユーザーのスケジュールを含む個人情報管理システム（ＰＩＭＳ）情報を含む同期化の要求を受信するステップと、前記セットトップボックスにて、前記受信されたユーザーのスケジュールに存在するリストに基づいて第１の推薦コンテンツリストを生成して前記第１の推薦コンテンツリストを前記移動端末に転送するステップと、前記セットトップボックスにて、前記第１の推薦コンテンツリストを用いて前記移動端末が更新した個人情報管理システム（ＰＩＭＳ）情報から前記移動端末が選択し送信したコンテンツリストを受信するステップと、前記セットトップボックスにて、サービス提供装置に、前記選択されたコンテンツリストに含まれたコンテンツに対する要請を転送するステップと、前記セットトップボックスにて、前記サービス提供装置から前記要請されたコンテンツを受信するステップと、前記セットトップボックスにて、前記受信されたコンテンツを前記移動端末に提供するステップと、前記移動端末にて、前記ユーザーが前記提供されたコンテンツの視聴を許可した場合、前記ユーザーに前記コンテンツを提供するステップとを有することを特徴とする。
【００２１】
本発明の他の態様によれば、放送システムにおけるコンテンツ提供方法であって、移動端末によって、セットトップボックスに、ユーザー情報に含まれたユーザーのスケジュールを含む個人管理システム（ＰＩＭＳ）情報を含む同期化の要求を送信するステップと、前記移動端末によって、前記セットトップボックスから前記ユーザーのスケジュールに存在するリストに基づいて生成された第１の推薦コンテンツリストを受信し、前記第１の推薦コンテンツリストに基づいて個人情報管理システム（ＰＩＭＳ）情報を更新するステップと、前記移動端末によって、前記セットトップボックスに、前記更新されたＰＩＭＳ情報から選択されたコンテンツリストを転送するステップと、前記移動端末によって、前記セットトップボックスから前記コンテンツリストに含まれたコンテンツを受信するステップと、前記移動端末によって、前記ユーザーに対し視聴確認メッセージを提供するステップと、前記移動端末にて、前記ユーザーが前記受信したコンテンツを視聴しようとするか否かの情報を受信するステップと、前記移動端末によって、前記ユーザーが前記受信したコンテンツの視聴を許可した場合、前記ユーザーに前記コンテンツを提供するステップとを有することを特徴とする。
【００２２】
上記目的を達成するための本発明の一態様によれば、放送システムにおけるコンテンツ提供装置であって、前記コンテンツ提供装置は、移動端末からユーザー情報に含まれたユーザーのスケジュールを含む個人管理システム（ＰＩＭＳ）情報を含む同期化に対する要求を受信し、前記受信されたユーザーのスケジュールに存在するリストに基づいて第１の推薦コンテンツリストを生成して前記第１の推薦コンテンツリストを前記移動端末に転送し、前記第１の推薦コンテンツリストを用いて前記移動端末が更新した個人情報管理システム（ＰＩＭＳ）情報から前記移動端末が選択し送信したコンテンツリストを受信し、前記選択されたコンテンツリストに含まれたコンテンツに対する要請をサービス提供装置に転送し、前記サービス提供装置から前記要請されたコンテンツを受信し、前記受信されたコンテンツを前記移動端末に提供するセットトップボックスを含むことを特徴とする。
【００２３】
また、上記目的を達成するための他の本発明の一態様によれば、放送システムにおける移動端末であって、ユーザー情報に含まれたユーザーのスケジュールを含む個人管理システム（ＰＩＭＳ）情報を含む同期化の要求を同期化処理部からセットトップボックスに送信した後に、前記同期化処理部にて前記セットトップボックスから受信、転送された前記ユーザーのスケジュールに存在するリストに基づいて生成された第１の推薦コンテンツリストに基づいて個人情報管理システム（ＰＩＭＳ）情報を更新するＰＩＭＳ情報管理部と、コンテンツ視聴のためにアプリケーションを駆動するアプリケーション駆動部と、前記セットトップボックスから前記第１の推薦コンテンツリストを受信して前記ＰＩＭＳ情報管理部に転送し、前記更新されたＰＩＭＳ情報から選択されたコンテンツリストを前記セットトップボックスに転送し、前記ユーザーが視聴したコンテンツの視聴情報を前記セットトップボックスに転送する前記同期化処理部と、を有することを特徴とする。
【発明の効果】
【００２４】
本発明によれば、ユーザーの介入なしに、ユーザー情報ベースのパターンを用いて推薦コンテンツを生成してユーザーの移動端末に自動的に格納することによって、ユーザーは、特別な手順なしに、屋外でもＩＰＴＶサービスを受信することができる効果を有する。
【００２５】
また、サービス提供者がユーザー情報を収集できるので、サービス提供者は、ユーザー情報に基づいてターゲットマーケットを正確に分析でき、それによって個人広告サービスなどを通じて追加的な利益を得ることができる。
【００２６】
本発明の上記及び他の様相、特徴、及び利点は、以下のような添付図面と共に続く詳細な説明から、より明白になるだろう。
【図面の簡単な説明】
【００２７】
【図１】ＩＰＴＶに関連した全体ドメインと価値連鎖を示す図である。
【図２】従来のコンテンツ提供方法を示すフロー図である。
【図３】本発明の一実施形態によるＩＰＴＶシステムの動作を示す図である。
【図４】本発明の他の実施形態によるＩＰＴＶシステムの動作を示す図である。
【図５】本発明の一実施形態によるＰＩＭＳの変更を示す図である。
【図６】本発明の一実施形態によるＰＩＭＳの変更を示す図である。
【図７】本発明の一実施形態によるＰＩＭＳの変更を示す図である。
【図８】本発明の一実施形態によるＩＰＴＶシステムにおける放送コンテンツを提供するためのセットトップボックスのブロック図である。
【図９】本発明の一実施形態によるＩＰＴＶシステムにおける放送コンテンツを提供するための移動端末のブロック図である。
【図１０】本発明の一実施形態によるＩＰＴＶシステムにおける放送コンテンツを提供するためのサービス提供者のブロック図である。
【図１１】本発明の一実施形態による移動端末における放送コンテンツを提供する方法を示すフローチャートである。
【図１２】本発明の一実施形態によるセットトップボックスにおける放送コンテンツを提供する方法を示すフローチャートである。
【図１３】本発明の一実施形態によるサービス提供者における放送コンテンツを遂行する方法を示すフローチャートである。
【図１４】本発明の一実施形態によるＩＰＴＶシステムにおける放送コンテンツを提供する方法を示すフロー図である。
【図１５】本発明の他の実施形態によるＩＰＴＶシステムにおける放送コンテンツを提供する方法を示すフロー図である。
【発明を実施するための形態】
【００２８】
以下、本発明の望ましい実施形態を添付の図面を参照して詳細に説明する。
【００２９】
図面において、同一の構成要素に対してはできるだけ同一の参照符号及び参照番号を付して説明する。下記の説明で、本発明に関連した公知の機能又は構成に関する具体的な説明が本発明の要旨を不明にすると判断された場合に、その詳細な説明を省略する。次の説明及び請求項に使用する用語及び単語は、辞典的意味に限定されるものではなく、発明者によって本発明の理解を明確且つ一貫性があるようにするために使用する。従って、特許請求範囲とそれと均等なものに基づいて定義されるものであり、本発明の実施形態の説明が単に実例を提供するためのものであって、本発明の目的を限定するものでないことは、本発明の技術分野で通常の知識を持つ者には明らかである。
【００３０】
英文明細書に記載の“ａ”、“ａｎ”、及び“ｔｈｅ”、即ち単数形は、文脈中に特に明示しない限り、複数形を含むことは、当業者には理解できることである。従って、例えば、“コンポーネント表面（ａ  ｃｏｍｐｏｎｅｎｔ  ｓｕｒｆａｃｅ）”との記載は一つ又は複数の表面を含む。
【００３１】
ここで、３ＧＰＰ（３ｒｄ  Ｇｅｎｅｒａｔｉｏｎ  Ｐａｒｔｎｅｒｓｈｉｐ  Ｐｒｏｊｅｃｔ）又はＯＩＦ（Ｏｐｅｎ  ＩＰＴＶ  Ｆｏｒｕｍ）で定義されているエンティティの名称を便宜上使用するが、これらは本発明の範囲を限定するものでなく、本発明は、類似した技術的背景を有するシステムに適用することができる。
【００３２】
ＩＰＴＶシステムは、ＩＰネットワークを用いて非常に多様なチャンネルを提供できる。しかし、ＩＰＴＶシステムは多数のチャンネルサービスタイプが提供されるため、ユーザーは所望するチャンネルを検索して選択するのに困難がある。更に、ユーザーが外出時にＩＰＴＶコンテンツを見るためには自分のスケジュールを確認し、視聴可能な時刻に所望のコンテンツを予め直接移動端末に格納しなければならないという不便さがある。従って、本発明は、ＩＰＴＶシステムがユーザー情報を分析し、その分析結果に基づいてユーザーのスケジュールを自動的に確認し、ユーザーがＩＰＴＶコンテンツを視聴可能な時刻に移動端末に推薦コンテンツを転送する方法及び装置を提供する。
【００３３】
図３は、本発明の一実施形態によるＩＰＴＶシステムの動作を示す図である。
【００３４】
本発明の一実施形態によるＩＰＴＶシステムは、移動端末３１０、セットトップボックス３２０、及びサービス提供者３３０を含む。
【００３５】
ＩＰＴＶ機能を有するユーザー専用装置である移動端末３１０は、屋内及び屋外環境の両方で公衆網を介してＩＰＴＶサービスを受信できる。即ち、移動端末３１０は、移動性を有するＯＩＴＦ（Ｏｐｅｎ  ＩＰＴＶ  Ｔｅｒｍｉｎａｌ  Ｆｕｎｃｔｉｏｎ）であり、ＩＰＴＶサービスを利用するために個人情報管理システム（Ｐｅｒｓｏｎａｌ  Ｉｎｆｏｒｍａｔｉｏｎ  Ｍａｎａｇｅｍｅｎｔ  Ｓｙｓｔｅｍ：以下、“ＰＩＭＳ”と称する）を提供する。ＰＩＭＳは、この分野でよく知られているため、本明細書では詳細に説明しない。
【００３６】
ユーザーからＰＩＭＳ３１１を受信すると、移動端末３１０は、ユーザーのホームでセットトップボックス３２０と同期化を遂行する。この“同期化（ｓｙｎｃｈｒｏｎｚａｔｉｏｎ）”は、ユーザーの携帯装置又は格納装置をサーバとのデータ同期のための一般的な手順を意味する。即ち、同期化は、２個のエンティティが情報を共有して一貫性を維持するためにデータを交換する手順を意味する。本発明において、一貫性を維持するために共有される情報は、ＰＩＭＳ、コンテンツリスト、コンテンツ、及びコンテンツログ（ｌｏｇ）を含むように拡張することができる。便宜上、２個のデバイス間の同期化方法についての説明は省略する。
【００３７】
同期化の遂行中にユーザーから受信したＰＩＭＳ３１１の情報は、セットトップボックス３２０に転送され、セットトップボックス３２０は、予め収集したユーザー情報を確認する。また、セットトップボックス３２０は、サービス提供者３３０から提供されるＥＰＧ（Ｅｌｅｃｔｒｏｎｉｃ  Ｐｒｏｇｒａｍ  Ｇｕｉｄｅ）のコンテンツの中でユーザーに適合した推薦コンテンツリスト３２１を生成する。
【００３８】
また、セットトップボックス３２０は、推薦コンテンツリスト３２１を移動端末３１０と同期化してこの推薦コンテンツリスト３２１を移動端末３１０に転送する。その結果、移動端末３１０は、推薦コンテンツリスト３２１が自動的にＰＩＭＳ３１１に反映されて更新（ｕｐｄａｔｅ）されたＰＩＭＳ３１２を生成する。
【００３９】
その後、セットトップボックス３２０は、推薦コンテンツリスト３２１に該当するコンテンツをサービス提供者３３０から受信して移動端末３１０に自動的に転送する。ここで、セットトップボックス３２０は、同期化を通じて移動端末３１０にコンテンツを伝送する。このように、移動端末３１０は、ユーザー情報に従ってコンテンツを格納することによって、ユーザーが外出時にもコンテンツを視聴可能な時刻に所望のコンテンツを提供することができる。
【００４０】
図４は、本発明の他の実施形態によるＩＰＴＶシステムの動作を示す図である。
【００４１】
図４の例において、ユーザーは、直接に同期化を遂行しない。図４に示すＩＰＴＶシステムの構成要素は、図３に示すＩＰＴＶシステムの構成要素と同一である。
【００４２】
図４を参照すると、ＩＰＴＶシステムにおいて、ユーザーが同期化の遂行に失敗し、タイマーが同期化タイマーを通じて更新された場合に、セットトップボックス３２０は、ユーザーが同期化を遂行しないと判定する。すると、セットトップボックス３２０は、最近に収集したユーザー情報を用いて推薦コンテンツリスト４２１を生成し、直接に移動端末３１０にサービスを提供するようにサービス提供者３３０に対して要求を伝送する。この場合、サービス提供者３３０は、公衆網を介して移動端末３１０にセットトップボックス３２０から受信した推薦コンテンツリスト４２１を直接転送し、特定時刻にコンテンツを伝送する。移動端末３１０とサービス提供者３３０との間での動作中に、サービス提供者３３０は、コンテンツを提供する動作に加えて、図３で説明した移動端末３１０とセットトップボックス３２０の動作を更に遂行することができる。
【００４３】
図５は、本発明の一実施形態によるＰＩＭＳの変更を示す。ここでは、ある大学生のスケジュールを示す。
【００４４】
図５で、ＰＩＭＳ５０１は、ユーザーによって直接入力される。ＰＩＭＳ５０１は、同期化のためにセットトップボックス３２０に転送され、セットトップボックス３２０は、ユーザーのＰＩＭＳに基づいたユーザー情報を考慮して図６の推薦コンテンツリスト５０２を生成する。
【００４５】
図６の実施形態において、アニメーションと世界ニュースは、講義後にユーザーが視聴できる月曜日及び火曜日の１２時に推薦コンテンツとしてスケジューリングされている。水曜日及び木曜日には、アルバイトへの移動時刻を考慮して、移動中に受信できるコンテンツである英語会話プログラムがスケジューリングされている。また、旅行情報コンテンツ及びロードムービープログラムは、推薦コンテンツリスト５０２で土曜日にスケジューリングされ、これによって、ユーザーは、スケジューリングされた旅行先の情報を獲得し、旅行中にロードムービーを視聴することができる。
【００４６】
推薦コンテンツリスト５０２は、移動端末３１０に転送され、移動端末３１０は、ＰＩＭＳ５０１と推薦コンテンツリスト５０２とを組み合わせて図７のＰＩＭＳ５０３を生成する。このようなプロセスは、同期化動作中に自動的に遂行され、ユーザーの介入によって、推薦コンテンツリスト５０２の一部コンテンツは、移動端末３１０によって受信しないか、或いはユーザーの選択に従って変更することができる。
【００４７】
月曜日に推薦されたコンテンツがユーザーによって選択されない場合、コンテンツの削除は、図７に示す更新されたＰＩＭＳ５０３に反映される。
【００４８】
図８は、本発明の一実施形態によるＩＰＴＶシステムにおける放送コンテンツを提供するためのセットトップボックスのブロック図である。
【００４９】
本発明の一実施形態によるセットトップボックス３２０は、Ｍｙ  Ｄｉａｒｙサービス提供部６００を含む。Ｍｙ  Ｄｉａｒｙサービス提供部６００は、同期化処理部６０１、ユーザー情報格納部６０２、推薦コンテンツリスト生成部６０３、ＰＩＭＳ反映部６０４、及びユーザー視聴情報伝送部６０５を含む。
【００５０】
移動端末３１０と同期化を遂行する機能部である同期化処理部６０１は、ユーザーによって入力されるＰＩＭＳ３１１と視聴パターン情報を受信し、推薦コンテンツリスト３２１を移動端末３１０に転送することによって、移動端末３１０は、ＰＩＭＳ３１１を更新してＰＩＭＳ３１２を生成する。更に、同期化処理部６０１は、サービス提供者３３０からコンテンツを受信するための外部インターフェースを提供することで（コンテンツ受信機能はセットトップボックスの既知の機能である）、移動端末３１０は、受信したコンテンツを格納することができる。
【００５１】
ユーザー情報格納部６０２は、ＰＩＭＳ３１２、ユーザーの趣向、視聴パターン、及びログ情報を含むユーザー情報を格納する。
【００５２】
推薦コンテンツリスト生成部６０３は、サービス提供者３３０からＥＰＧを受信するためのインターフェースを提供（ＥＰＧ受信機能は、セットトップボックスの既知の機能である）して、サービス提供者３３０から受信したＥＰＧとユーザー情報格納部６０２に格納されているユーザー情報を用いて全てのコンテンツの中から推薦コンテンツを選択する。
【００５３】
ＰＩＭＳ反映部６０４は、選択された推薦コンテンツをユーザーのＰＩＭＳの形態で表示するための動作を遂行し、また関連情報を共にパッケージングする機能を遂行する。
【００５４】
下記の＜表１＞は、ＰＩＭＳ反映部６０４を通じて移動端末３１０に転送される情報の例を図５〜図７の実施形態に基づいて示す。
【００５５】
【表１】
0005706814.tif 000002
【００５６】
図９は、本発明の一実施形態によるＩＰＴＶシステムにおける放送コンテンツを提供するための移動端末のブロック図である。
【００５７】
本発明の一実施形態による移動端末３１０は、Ｍｙ  Ｄｉａｒｙサービス受信部７００を含む。Ｍｙ  Ｄｉａｒｙサービス受信部７００は、ＰＩＭＳ管理部７０１、同期化処理部７０２、アプリケーション駆動部７０３、及び視聴情報記録部７０４を含む。
【００５８】
移動端末３１０内のＰＩＭＳアプリケーションとインターフェースを提供するＰＩＭＳ管理部７０１は、ユーザーによって入力されたＰＩＭＳを同期化処理部７０２に転送し、同期化処理部７０２から受信した推薦コンテンツリスト及びユーザー情報を用いてＰＩＭＳを更新する。
【００５９】
同期化処理部７０２は、ＰＩＭＳ管理部と連動して、ＰＩＭＳ情報をセットトップボックス３２０又はサービス提供者３３０に転送し、及び／又は、セットトップボックス３２０又はサービス提供者３３０から推薦コンテンツリストを受信する。また、同期化処理部７０２は、視聴情報記録部７０４に格納されたコンテンツ視聴情報をセットトップボックス３２０に転送する機能を遂行する。
【００６０】
アプリケーション駆動部７０３は、ＰＩＭＳに格納されたスケジュールに基づいて特定時刻にポップアップウィンドウを駆動するなど、コンテンツ視聴のためのアプリケーションを駆動する。更に、アプリケーション駆動部７０３は、サービス提供者３３０が直接に提供するコンテンツをユーザーが受信するか否かを確認する。
【００６１】
視聴情報記録部７０４は、ユーザーが視聴したコンテンツの視聴情報を記録して同期化処理部７０２に転送する。
【００６２】
図１０は、本発明の一実施形態によるＩＰＴＶシステムにおける放送コンテンツを提供するためのサービス提供者のブロック図である。
【００６３】
本発明の一実施形態によるサービス提供者３３０は、Ｍｙ  Ｄｉａｒｙサービス提供部８００を含む。Ｍｙ  Ｄｉａｒｙサービス提供部８００は、サービス処理部８０１、サービス駆動部８０２、及びユーザー視聴パターン分析部８０３を含む。
【００６４】
サービス処理部８０１は、同期化を遂行しないユーザーのセットトップボックス３２０からＭｙ  Ｄｉａｒｙサービスに対する要求を遠隔受信する。即ち、サービス処理部８０１は、ユーザーがセットトップボックス３２０を通過せずにサービス提供者３３０から直接サービスを受信できるように、ユーザーに転送する推薦コンテンツリストをセットトップボックス３２０から受信する。サービス処理部８０１は、移動端末３１０にこの推薦コンテンツリストを転送する。更に、サービス処理部８１０は、セットトップボックス３２０からユーザーのコンテンツログ情報を受信してユーザー視聴パターン分析部８０３に転送する。
【００６５】
サービス駆動部８０２は、サービス処理部８０１から受信した各ユーザーの推薦コンテンツリストに基づいて特定時刻に移動端末３１０にコンテンツを転送する。サービス駆動部８０２は、コンテンツ伝送部とのインターフェースを提供する。コンテンツ伝送部がサービス提供者３３０の既知の機能に該当するため、ここではコンテンツ伝送部の説明は省略する。更に、サービス駆動部８０２は、ユーザーが視聴するコンテンツを許可する場合にユーザー視聴パターン分析部８０３にログ情報を転送する。
【００６６】
ユーザー視聴パターン分析部８０３は、ユーザー別ログ情報を格納し、これを用いてユーザーの性別、年齢、職業、視聴時刻などによって分類される視聴パターンを分析する。
【００６７】
図１１は、本発明の一実施形態による移動端末における放送コンテンツの提供方法を示すフローチャートである。
【００６８】
ステップ９０１で、移動端末３１０は、ユーザーからＰＩＭＳ３１１を受信する。移動端末３１０は、ステップ９０２で、セットトップボックス３２０と同期化を遂行したか否かを判定する。同期化を遂行した場合には、移動端末３１０は、ステップ９０３で、セットトップボックス３２０から推薦コンテンツリスト３２１を受信する。
【００６９】
移動端末３１０は、ステップ９０４で、受信した推薦コンテンツリスト３２１をＰＩＭＳ３１１に反映してＰＩＭＳ３１１を自動的に更新する。
【００７０】
ステップ９０５で、移動端末３１０は、ユーザーが推薦コンテンツリスト３２１からコンテンツを選択したか否かを判定する。移動端末３１０は、ユーザーがコンテンツを選択しない場合にはステップ９３１に進み、ユーザーがコンテンツを選択した場合にはステップ９０７に進む。
【００７１】
ステップ９３１で、移動端末３１０は、推薦された全てのコンテンツリストに対する転送要求をセットトップボックス３２０に送信する。一方、ステップ９０７で、移動端末３１０は、選択したコンテンツリストのみに対する転送要求をセットトップボックス３２０に送信する。
【００７２】
ステップ９０８で、移動端末３１０は、セットトップボックス３２０から、要求したコンテンツリストのコンテンツを受信する。コンテンツタイプの容量が多い場合、ユーザーの設定（例えば、移動端末３１０がこの２日間コンテンツを受信するように設定され得る）によって選択されたコンテンツのみをセットトップボックス３２０から移動端末３１０に提供することができる。
【００７３】
ステップ９０９で、移動端末３１０は、受信したコンテンツの開始時刻に、ユーザーが認識するようにポップアップのような方式でコンテンツの開始をユーザーに知らせる。
【００７４】
ステップ９１１で、移動端末３１０は、ユーザーがコンテンツの視聴を許可したか否かを判定する。移動端末３１０は、ユーザーが視聴を許容した場合はステップ９１２に進み、ユーザーが視聴を許容しない場合にはコンテンツ提供プロセスを終了する。
【００７５】
移動端末３１０は、ステップ９１２でユーザーにコンテンツを提供し、ステップ９１３でログ情報を格納する。ステップ９１４で、移動端末３１０は、ユーザーがホームでセットトップボックス３２０と再び同期化を遂行する場合に、ログ情報をセットトップボックス３２０に転送する。
【００７６】
移動端末３１０は、ステップ９０２で、セットトップボックス３２０と同期化を遂行しない場合には、ステップ９１５で、サービス提供者３３０から推薦コンテンツリストを直接受信し、ステップ９１６でＰＩＭＳ３１１を自動的に更新する。以後、ステップ９１７で、移動端末３１０は、放送開始時刻にサービス提供者３３０から放送開始を知らせる通知メッセージを受信する。
【００７７】
図１２は、本発明の一実施形態によるセットトップボックスにおける放送コンテンツを提供する方法を示すフローチャートである。
【００７８】
ステップ１００１で、セットトップボックス３２０は、移動端末３１０と同期化が遂行されたか否かを確認するために同期化タイマーを開始する。同期化が同期化タイマーで設定された時刻以内に遂行された場合、タイマーは更新される。セットトップボックス３２０は、ステップ１００２で、移動端末３１０を通じてユーザーに推薦コンテンツリスト３２１を転送する。
【００７９】
ステップ１００３で、ユーザーから要求されたコンテンツリストを受信すると、セットトップボックス３２０は、ステップ１００４で、サービス提供者３３０に要求コンテンツに対する要求を送信してサービス提供者３３０からその要求コンテンツを受信する。
【００８０】
ステップ１００５で、セットトップボックス３２０は、受信したコンテンツを、移動端末３１０を通じてユーザーに転送する。
【００８１】
しかし、ステップ１００１で、タイマーで設定された時刻以内に移動端末３１０との同期化が遂行されていないと、セットトップボックス３２０は、ステップ１０２１でサービス提供者３３０に推薦コンテンツリスト３２１を転送し、それによってサービス提供者３３０は、移動端末３１０に直接コンテンツを提供することができる。
【００８２】
その後、ステップ１００７で、セットトップボックス３２０は、移動端末３１０が更に同期化を遂行する場合にユーザーのログ情報を受信する。ステップ１００８で、セットアップボックス３２０は、ユーザーのログ情報によってユーザー情報を更新し、それによって更新したユーザー情報を次に作成する推薦コンテンツリストに反映することができる。
【００８３】
ステップ１００９で、セットトップボックス３２０は、ユーザー情報をサービス提供者３３０に転送し、それによって、サービス提供者３３０は、このユーザー情報を、視聴率調査及び個人広告などを遂行するのに使用することができる。
【００８４】
図１３は、本発明の一実施形態によるサービス提供者における放送コンテンツを遂行する方法を示すフローチャートである。
【００８５】
ステップ１１０１で、サービス提供者３３０は、セットトップボックス３２０からコンテンツに対する要求を受信すると、要求されたコンテンツをセットトップボックス３２０に転送する。
【００８６】
ステップ１１０２で、サービス提供者３３０は、セットトップボックス３２０から推薦コンテンツリスト３２１を受信したか否かを判定する。サービス提供者３３０がセットトップボックス３２０から推薦コンテンツリスト３２１を受信した場合、サービス提供者３３０は、ステップ１１０３で推薦コンテンツリスト３２１を移動端末３１０に転送する。その反面、サービス提供者３３０は、ステップ１１０２でセットトップボックス３２０から推薦コンテンツリスト３２１の受信に失敗した場合、放送コンテンツ提供プロセスを終了する。
【００８７】
その後、サービス提供者３０３は、ステップ１１０４で、推薦コンテンツリスト３２１に該当するコンテンツの放送開始時刻にユーザーに知らせる通知メッセージを転送する。
【００８８】
ステップ１００５で、サービス提供者３３０は、移動端末３１０を通じてユーザーが視聴を許可したか否かを判定する。ユーザーが視聴を許可した場合、サービス提供者３３０は、ステップ１１０６でコンテンツを移動端末３１０に提供する。一方、ステップ１００５でユーザーが視聴を許可しない場合には、サービス提供者３３０は、放送コンテンツ提供プロセスを終了する。
【００８９】
以後、ステップ１１０７で、サービス提供者３３０は、セットトップボックス３２０からユーザー情報を受信し、視聴率調査及び個人広告などに使用する。
【００９０】
図１４は、本発明の一実施形態によるＩＰＴＶシステムにおける放送コンテンツを提供する方法を示すフロー図である。
【００９１】
図１４を参照すると、本発明の一実施形態によるＩＰＴＶシステムの主要構成要素は、移動端末３１０、セットトップボックス３２０、及びサービス提供者３３０を含む。サービス提供者３３０は、ＩＰＴＶ制御器１２０２とコンテンツ転送機能部（Ｃｏｎｔｅｎｔ  Ｄｅｌｉｖｅｒｙ  Ｆｕｎｃｔｉｏｎ  Ｕｎｉｔ：以下、“ＣＤＦ”と称する）１２０３を含む。ホームでＩＰＴＶサービスを提供するためのゲートウェイであるセットトップボックス３２０は、ＩＰＴＶセットトップボックスであり、このＩＰＴＶセットトップボックスは、ＩＰＴＶネットワークとの相互作用のための機能を追加的に含む。
【００９２】
サービス提供者３３０に含まれるＩＰＴＶ制御器１２０２は、ＩＰＴＶサービスを提供するためのコア要素であって、ユーザー認証及び課金、セッションを管理する。ＣＤＦ１２０３は、データ処理及び転送を担当するサーバである。即ち、ＩＰＴＶ制御器１２０２及びＣＤＦ１２０３は、サービス提供者３３０のドメインに含まれ、物理的又は論理的機能を提供する要素である。その詳細な説明は、簡潔さと明瞭性のために省略する。
【００９３】
ステップ１２０４で、セットトップボックス３２０は、予め移動端末３１０から受信したユーザー情報を管理する。
【００９４】
移動端末３１０は、ステップ１２０５でユーザーからＰＩＭＳを直接受けた場合、ステップ１２０６で同期化を遂行する。同期化後に、移動端末３１０は、ステップ１２０７で、セットトップボックス３２０にユーザーＩＤとＰＩＭＳ情報を有する同期化要求（Ｓｙｎｃｈｒｏｎｉｚａｔｉｏｎ  Ｒｅｑｕｅｓｔ）メッセージを送信する。
【００９５】
同期化要求メッセージを受信すると、セットトップボックス３２０は、ステップ１２０８で、ユーザー情報とＥＰＧに基づいて推薦コンテンツリストを生成し、ステップ１２０９で、ユーザーＩＤ及び推薦コンテンツリストを含む同期化応答（Ｓｙｎｃｈｒｏｎｉｚａｔｉｏｎ  Ｒｅｓｐｏｎｓｅ）メッセージを移動端末３１０に送信する。ステップ１２１０で、移動端末３１０は、ステップ１２０９で受信した推薦コンテンツリストによってＰＩＭＳを自動的に更新する。このとき、ユーザーは、更新されたＰＩＭＳを確認してステップ１２１１で直接受信しようとするコンテンツを選択でき、移動端末３１０は、タイマーを開始してユーザーによってコンテンツが選択されるまで待機する。タイマーが満了するまでユーザーによってコンテンツが選択されない場合には、タイマーはステップ１２１２で更新され、移動端末３１０は全ての推薦コンテンツを受信すると見なされる。移動端末３１０は、ステップ１２１３で、ユーザーＩＤ及び受信しようとするコンテンツリストを含むコンテンツ要求（Ｃｏｎｔｅｎｔ  Ｒｅｑｕｅｓｔ）メッセージをＩＰＴＶセットトップボックス３２０に送信する。
【００９６】
コンテンツ要求メッセージを受信したセットトップボックス３２０がＩＰＴＶ制御器１２０２を通じてサービスセッション及びコンテンツ転送をサービス提供者３３０に要求する場合に、セットトップボックス３２０をＣＤＦ１２０３に接続させるサービスセッションはステップ１２１４で設定され、コンテンツ転送及び制御手順はステップ１２１５で遂行される。ここでは、ステップ１２１４及び１２１５に関する詳細な説明は省略する。
【００９７】
セットトップボックス３２０は、ステップ１２１４及び１２１５を通じて移動端末３１０によって要求されたコンテンツを受信し、ステップ１２１６で受信したコンテンツを移動端末３１０に転送する。コンテンツの転送が完了した後に、ＩＰＴＶセットトップボックス３２０は、ステップ１２１７で、移動端末３１０にコンテンツ伝送結果を含むコンテンツ応答メッセージを送信し、サービス完了をユーザーに通知する。ここで、ステップ１２０７〜ステップ１２１７のプロセスは、同期化を通じて自動的に遂行され、ステップ１２１１はユーザーの選択によって追加され得る。
【００９８】
移動端末３１０は、ステップ１２１８で、更新されたＰＩＭＳによってコンテンツが開始される時刻にユーザーがコンテンツを視聴するか否かを確認するポップアップウィンドウを駆動する。移動端末３１０は、ステップ１２１９で、ユーザーから視聴許可情報を受信すると、コンテンツをユーザーに提供する。ステップ１２２０で、移動端末３１０は、ユーザーのログ情報を自動的に格納する。
【００９９】
移動端末３１０は、ステップ１２２１でユーザーから更に同期化に対する要求を受けた場合、ステップ１２２２で、ログ情報とユーザーによって新たに入力されたＰＩＭＳ情報を含む同期化要求メッセージをセットトップボックス３２０に送信する。
【０１００】
ステップ１２２３で、セットトップボックス３２０は、同期化要求メッセージに含まれたログ情報とユーザーによって新たに入力されたＰＩＭＳ情報の両方に基づいてユーザー情報を更新する。セットトップボックス３２０は、ステップ１２２４で、ＩＰＴＶ制御器１２０２にログ情報を含むユーザーパターンレポートメッセージを送信する。
【０１０１】
図１５は、本発明の他の実施形態によるＩＰＴＶシステムにおける放送コンテンツの提供方法を示すフロー図である。
【０１０２】
図１５を参照すると、セットトップボックス３２０は、ステップ１３０４で予めユーザーから受信したユーザー情報を管理し、移動端末３１０は、ステップ１３０５でユーザーからＰＩＭＳを直接受ける。
【０１０３】
セットトップボックス３２０は、ステップ１３０６で、同期化タイマーを開始し、同期化タイマーが満了した場合にはユーザーが同期化を遂行しないと判断して同期化タイマーを更新する。
【０１０４】
セットトップボックス３２０は、ステップ１３０７で、遠隔位置でＭｙ  Ｄｉａｒｙサービスを要求するために、ユーザーＩＤ、セットトップボックスＩＤ、及び推薦コンテンツリストを含むリモートサービス要求メッセージをＩＰＴＶ制御器１２０２に送信する。
【０１０５】
リモートサービス要求メッセージを受信すると、ＩＰＴＶ制御器１２０２は、ステップ１３０８で、セットトップボックス３２０及びユーザーの認証後にユーザーＩＤ、セットトップボックスＩＤ、及びリモートサービス要求メッセージの受信結果を含むリモートサービス応答メッセージをセットトップボックス３２０に送信し、それによってサービス要求を許容する。ここで、認証プロセスに対する説明は省略する。
【０１０６】
ＩＰＴＶ制御器１２０２は、ステップ１３０９で、移動端末３１０にユーザーＩＤ、セットトップボックスＩＤ、及び推薦コンテンツリストを含むリモートサービス通知（Ｒｅｍｏｔｅ  Ｓｅｒｖｉｃｅ  Ｎｏｔｉｆｉｃａｔｉｏｎ）メッセージを直接送信する。リモートサービス通知メッセージを受信すると、移動端末３１０は、ステップ１３１０でＰＩＭＳを自動的に更新する。
【０１０７】
ステップ１３１１で、ＩＰＴＶ制御器１２０２は、特定コンテンツが転送されなければならない時刻をモニタリングする。ステップ１３１２で、ＩＰＴＶ制御器１２０２は、特定時刻に移動端末３１０にユーザーＩＤ、セットトップボックスＩＤ、及びコンテンツＩＤを含むサービス開始通知メッセージを送信する。
【０１０８】
サービス開始通知メッセージを受信すると、移動端末３１０は、ステップ１３１３で、ユーザーがコンテンツを視聴するか否かを示すサービス開始応答メッセージをＩＰＴＶ制御器１２０２に送信する。このサービス開始応答メッセージは、ユーザーＩＤ、セットトップボックスＩＤ、及びサービス開始通知メッセージの受信結果を含む。ＩＰＴＶ制御器１２０２は、ステップ１３１４で、サービスセッションセットアッププロセスを遂行し、ステップ１３１５でコンテンツ転送及び制御プロセスを遂行し、ステップ１３１６で移動端末３１０にコンテンツを転送する。
【０１０９】
移動端末３１０は、ステップ１３１７で、ユーザーがコンテンツの視聴を許可する場合にユーザーにコンテンツを提供する。ステップ１３１８で、移動端末３１０は、ユーザーのログ情報を自動的に格納する。
【０１１０】
移動端末３１０は、ステップ１３１９でユーザーから更に同期化に対する要求を受けた場合に、ステップ１３２０で、ログ情報とユーザーによって新たに入力されたＰＩＭＳ情報を含む同期化要求メッセージをセットトップボックス３２０に送信する。
【０１１１】
同期化要求メッセージを受信すると、セットトップボックス３２０は、ステップ１３２１で、同期化要求メッセージに含まれたログ情報とユーザーによって新たに入力されたＰＩＭＳ情報の両方に基づいてユーザー情報を更新する。セットトップボックス３２０は、ステップ１３２２で、ＩＰＴＶ制御器１２０２にログ情報を含むユーザーパターンレポートメッセージを送信する。
【０１１２】
下記の＜表２＞〜＜表５＞は、移動端末３１０とセットトップボックス３２０との間で交換されるメッセージを示す。
【０１１３】
【表２】
0005706814.tif 000003
【０１１４】
【表３】
0005706814.tif 000004
【０１１５】
【表４】
0005706814.tif 000005
【０１１６】
【表５】
0005706814.tif 000006
【０１１７】
下記の＜表６＞〜＜表８＞は、セットトップボックス３２０とサービス提供者３３０との間で交換されるメッセージを示す
【０１１８】
【表６】
0005706814.tif 000007
【０１１９】
【表７】
0005706814.tif 000008
【０１２０】
【表８】
0005706814.tif 000009
【０１２１】
下記の＜表９＞〜＜表１１＞は、サービス提供者３３０と移動端末３１０との間で交換されるメッセージを示す。
【０１２２】
【表９】
0005706814.tif 000010
【０１２３】
【表１０】
0005706814.tif 000011
【０１２４】
【表１１】
0005706814.tif 000012
【０１２５】
本発明による実施形態は、コンピュータ読み取り可能な記録媒体に対するコンピュータ読み取り可能なコードとして実施することができる。コンピュータ読み取り可能な記録媒体は、コンピュータシステムによって読み取り可能なデータを格納するデータストレージデバイスとなり得る。コンピュータ読み取り可能な記録媒体の例としては、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ、磁気テープ、フロッピー（登録商標）ディスク、光データ格納装置、及び搬送波（有線又は無線伝送経路を介するインターネットを通じたデータ伝送のような）を含むが、これに限定されるものではない。また、コンピュータ読み取り可能な記録媒体は、ネットワーク結合されたコンピュータシステムに亘って分散させることによって、コンピュータ読み取り可能なコードは分散形態で格納及び遂行される。また、本発明を達成するための機能（ｆｕｎｃｔｉｏｎ）プログラム、コード、及びコードセグメントは、当該技術分野における熟練されたプログラマにとっては容易に理解できることである。
【０１２６】
以上、本発明を具体的な実施形態を参照して図示及び説明したが、添付した特許請求の範囲とそれと均等なものにより規定されるような本発明の精神及び範囲を外れることなく、形式や細部の様々な変更が可能であることは、当該技術分野における通常の知識を持つ者には明らかである。
【符号の説明】
【０１２７】
１００    ユーザー
１０１    消費者ドメイン
１０２    ネットワーク提供者ドメイン
１０３    プラットフォーム提供者ドメイン
１０４    ＩＰＴＶサービス提供者ドメイン
１０５    コンテンツ提供者ドメイン
１０６    コンテンツ再構成部
１０７    コンテンツ転送部
１０８    コンテンツアグリゲーション部
１０９    コンテンツ制作部
２００    コンテンツ提供者
２０１、３３０    サービス提供者
２０２、３２０    （ＩＰＴＶ）セットトップボックス
２０３    ＴＶ（ディスプレイ）
３１０    移動端末
３１１、４１１、５０１    ＰＩＭＳ
３２１、４２１、５０２    推薦コンテンツリスト
６００、８００    Ｍｙ  Ｄｉａｒｙサービス提供部
６０１、７０２    同期化処理部
６０２    ユーザー情報格納部
６０３    推薦コンテンツリスト生成部
６０４    ＰＩＭＳ反映部
６０５    ユーザー視聴情報伝送部
７００    Ｍｙ  Ｄｉａｒｙサービス受信部
７０１    ＰＩＭＳ管理部
７０４    視聴情報記録部
８０１    サービス処理部
８０２    サービス駆動部
８０３    ユーザー視聴パターン分析部
１２０２    ＩＰＴＶ制御器
１２０３    ＣＤＦ（コンテンツ転送機能部）
【図１】
0005706814.tif 000013
【図２】
0005706814.tif 000014
【図３】
0005706814.tif 000015
【図４】
0005706814.tif 000016
【図５】
0005706814.tif 000017
【図６】
0005706814.tif 000018
【図７】
0005706814.tif 000019
【図８】
0005706814.tif 000020
【図９】
0005706814.tif 000021
【図１０】
0005706814.tif 000022
【図１１】
0005706814.tif 000023
【図１２】
0005706814.tif 000024
【図１３】
0005706814.tif 000025
【図１４】
0005706814.tif 000026
【図１５】
0005706814.tif 000027